(57)【要約】【課題】田畑や使用地に出没しミミズ等を求め無数の通路穴を掘り農作物の根を痛める土竜とその穴を利用し農作物の根を食い荒らす鼠を花火を使用して爆音と嫌臭拡散と火薬の威力を生かし威嚇と駆除をする土竜駆除具を提供する。【解決手段】土竜が掘り通路穴にパイプに一端に開口孔を二ヶ所設けた部分を土竜通路孔に地面から挿込み立設し管の内部に花火に着火して投下し爆音や火薬が外部に流失しないように製造し爆発音と火薬の臭と土竜の嫌臭拡散で土竜鼠威嚇駆除具である。【選択図】図５
2015015940.tif 000002
【特許請求の範囲】
【請求項１】
田畑や使用地に地中に出没する土竜の通路穴に支柱管の下部付近に二つの孔を通り抜けるように平行に開放し先端を土に挿し易くし上部に把手具をＴ型に固着し支柱管の外廻りに外管を嵌通し地面から地中に挿す時に支柱管内に土が入り込まないように孔を塞ぐ事と支柱管の中央部に花火投入開口部を設け外管の上部にも花火投入口と吊り具を設け支柱管の外側に吊り受けを設けて土竜の通路穴に立設し花火投入口から導火線に着火した花火を投下し外管を上部に持ち上げ孔を開放し花火投入口を閉鎖し花火が爆発し音響と火薬の臭いで威嚇駆除する土竜鼠駆除具。
【請求項２】
紙管の内部に土竜が嫌がる嫌臭拡散層と爆発火薬と噴射火薬に導火線を充填した花火を土竜の通路穴に拡散し爆音と臭いで威嚇駆除するものであり、嫌臭拡散に使用する蚊取り線香の固形、ナフタリンの固形、唐辛子固形等を特徴とする威嚇駆除する請求項１の土竜鼠駆除具。
【発明の詳細な説明】
【技術分野】
【０００１】    本発明は、田畑や使用地に出没しミミズを求め無数の通路穴を掘り農作物の根を痛める土竜と、その穴を利用て農作物の根を食い荒らす鼠を花火を使用して爆音と嫌臭拡散し駆除する器具と花火に関するものである。
【技術の背景】
【０００２】    土竜は、比較的に土地に堆肥が多い程に土竜の数が多い肥やしが有ればミミズも多く住みやすい土壌なる為である、土竜を捕獲する器具や駆除する器具は多く考案され商品化されてるが臭いに敏感な土竜を捕獲するのは大変に根気が必要である。
【発明の開示】
【発明が解決しようとする課題】
【０００３】    土竜は、地上に姿を表す事はほとんど無く地中に罠を掛け捕獲を試みるが容易く捕獲はできない為に、農作物、果実の根や花壇またゴルフ場等の被害が多い、それは土竜の掘った通路穴に鼠が侵入し根を食い荒らす為である。そこで地面から筒管を使用し土竜が掘り起こした穴に花火を投下し臭いと爆音を強烈な刺激を土竜に与え二度と戻らない様にし鼠も侵入できなくする方法で人体に悪影響無く安全に威嚇駆除するものである。
【問題を解決するための手段】
【０００４】    土竜が掘り進む穴は地面から浅く通路穴の分の土が地面に盛上がり表面が柔らかく指でも掘起こせる程になるために筒管を差込むのにさほど力は要らなく通路穴に達すると誰でも確認でる事から管の先端近くに両側に平行に孔を開け通路穴の中心に平行に管を立設し花火を投下する開校部から導火線に着火し管内に投下したのち爆音と臭いが外分に漏れないように開校部を塞ぎ音響と火薬の臭いを通路穴に充満させ威嚇駆除するもの。
【０００５】    土竜の掘った穴を鼠が利用し農作物の根や果実の根を食い荒らす為に作物や果実の樹が枯れたりと土竜が掘る穴の影響は非常に多くゴルフ場の芝が盛上がったりと被害多い。
【０００６】  紙管の内部に導火線と噴射火薬と爆発火薬と嫌臭拡散火薬を充填し土竜通路穴に筒管の先端部に孔を二つ平行に開け土竜の掘った通路穴に立設し穴に平行に通り抜けるように設置し花火を投入開口部から導火線に着火し投入開校部を別の筒管で嵌通して塞ぎ爆音と火薬の臭いを穴に放す事で威嚇する。
【０００７】    支柱管の把手具をＴ型に設け支柱管の中間に花火投入開口を設け支柱管の外に一回り太い筒管を嵌通し、その一端に花火投入口を設け支柱管の花火投入開口とを並べ花火を投入後に外の筒管を回転させ投入口を閉じて使用する。
【０００８】      支柱管の外に嵌通した管の下部に一ヶ所開口部を設け支柱管の下部に孔を二ヶ所設けて有り土竜の通路穴が横に長く一度に左右の穴に爆音と火薬の臭いを放つ時には外管を上部に吊り設置し使用しする、また左右の一方の孔を塞ぎ片方に強く放す時は外管を下に下げ回転し片方の孔を塞いで使用する。
【発明の効果】
【０００９】      本発明の、土竜及び鼠の駆除具に紙管に嫌臭拡散層と爆発と噴射火薬の効果で簡単に広範囲の土竜を威嚇駆除が可能になり鼠も土竜の通路穴を使用できなくなり農作物も樹の根も花壇やゴルフ場に効果抜群である。
【発明を実施するための最良の形態】
【００１０】      以下、本発明の実施の形態について図面を参照にして説明する。
図１の、支柱管（１）上部に把手具（２）固着し地面に挿し込む時に力が入り好くの物で、支柱管（１）の、やや下側に投入開口部（１１）を設け、その下部に底板（３）を備える事により花火の音響がよくなり威嚇に迫力がでる、その下部に支柱挿込み（９）を設ける事により土竜の通路穴に挿し易くなる。【００１１】      図２の、外管（４）の上部に吊り具（５）を設け花火投入口（６）を設け、その下部に孔開口（７）を設けたことにより重要な働きをする。【００１２】      図３の、把手具（２）に支柱管（１）を固着し図２の外管（４）を嵌通させ吊り具（５）と花火投入口（６）と孔開口（７）を設けた外管（４）を上下及び回転させたりする事により性能を発揮するように、投入開口部（１１）の開閉に支柱開口（８）の開閉に又、支柱開口（８）の二つの孔のうち、一ヶ所の孔のみ閉鎖もできる事から土竜の動きに対応できる。【００１３】    図４の、支柱管（１）を支柱開口（８）側から視た物で上部に把手具（２）を支柱管（１）に固着し外管（４）を嵌通させ底板（３）に支柱挿込み（９）設けたもので、この時、外管（４）を下に下げる事により土が管内に入り込まない。【００１４】    図５の、支柱管（１）に把手具（２）を設け外管（４）を嵌通し投入開口部（１１）を閉鎖するために支柱管（１）を中央部まで持ち上げ吊り具（５）で吊り受け（１０）に掛けて保持する時に外管を約４５度回転したもので、この時に支柱開口（８）は左右が開放された状態であり花火が破裂したときに土竜の通路穴に爆音と臭いが行き渡る為に土竜又鼠に打撃を与える事ができる底板（９）を設け事により火薬の威力がまし支柱挿込み（９）で地中に挿し易く先端部が通路穴の下部の比較的固い為に支柱管（１）が立設しやすくなる。【００１５】    図６は、支柱管を土竜の通路穴部に挿込み外管（４）を上に吊り具を吊り受け（１０）に掛けて保持し支柱開口（８）を二ヶ所  開放し花火を放す事により通路穴に平行に噴射放出される。【００１６】    図７は、土竜鼠威嚇駆除具に使用する花火で紙管（１２）の内部に導火線（１３）と噴射火薬（１４）と爆発火薬（１５）と嫌臭拡散層（１６）を充填した花火であり人には害をおよぼさないものである。【００１７】    特に外管（４）に設けてある孔開口（７）は一つのみであり両側には設けて無い、片方に孔開口（７）を支柱開口（８）に重ねる事により反対側の支柱開口（８）は閉鎖され孔開口と支柱開口を重ねた方のみに花火の爆音と火薬の臭いが放出され効果を出せる。【００１８】    図７の、花火は先端に嫌臭拡散層（１６）設ける事により害鳥獣にあわせて使用できることから多くの場所で威嚇や駆除に役立つ物である。
【図面の簡単な説明】
【００１９】
【図１】把手具に支柱管を固着し支柱管やや下に開口部を設けた正面図
【図２】外管に吊り具と花火投入口と孔を設けた正面図
【図３】支柱管に外管を嵌通し下部先端に地中に挿す物を設けた正面図
【図４】支柱管に外管を嵌通し上部に把手具と先端に挿込み左側面図
【図５】支柱管に外管を嵌通した管を上に上げ４５度左に回転した左側面図
【図６】土竜の通路に支柱管を挿込み立設した正面参考図
【図７】紙管の内部に導火線と火薬類を充填した断面図
【符号の説明】
【００２０】  １    支柱管
２    把手具
３    底板
４    外管
５    吊り具
６    花火投入
７    孔開口
８    支柱開口
９    挿込み
１０    吊り具
１１    投入開口部
１２    紙管
１３    導火線
１４    噴射火薬
１５    爆発火薬
１６    嫌臭拡散層
【図１】
2015015940.tif 000003
【図２】
2015015940.tif 000004
【図３】
2015015940.tif 000005
【図４】
2015015940.tif 000006
【図５】
2015015940.tif 000007
【図６】
2015015940.tif 000008
【図７】
2015015940.tif 000009